(57)【要約】【課題】使用者がその自動演奏装置により出力される他の楽器の演奏音に合わせて合奏できるギターを提供する。【解決手段】本発明は、アコースティック／エレクトリックギターに自動演奏装置を加えることにより、使用者がその自動演奏装置により出力される他の楽器の演奏音に合わせて合奏ができるようにしたり、録音装置を加えることにより、使用者の演奏音や合奏音を録音／処理した後、必要な時点で再生／出力できるようにしたアコースティック／エレクトリックギターの自動演奏及び録音装置に関し、ギター演奏音を所定レベルに増幅し、使用者の要求に応じて音色を調節した後、ギター専用アンプに出力するプリアンプと、内部メモリを利用して外部音楽ファイルを保存したり、外部音楽信号を音楽ファイルに変換してプリアンプに出力する自動演奏装置と、プリアンプの出力を内部メモリに保存する録音装置とを含む。【選択図】図１
2011100156.tif 000002
【特許請求の範囲】
【請求項１】
ギター演奏音を所定レベルに増幅し、使用者の要求に応じて該ギター演奏音の音色を調節した後、ギター専用アンプに出力するプリアンプと、
複数の演奏曲をメモリに保存し、前記使用者が選択した演奏曲を再生して前記プリアンプに出力する自動演奏装置と、
を含むことを特徴とするアコースティック／エレクトリックギターの自動演奏装置。
【請求項２】
前記プリアンプは、使用者のギター演奏音を前記自動演奏装置から提供される多様な楽器の演奏音と混合して混合した演奏音を前記ギター専用アンプに出力する請求項１に記載のアコースティック／エレクトリックギターの自動演奏装置。
【請求項３】
前記自動演奏装置は、補助入力端子を介して外部から入力されるオーディオ機器の演奏音を前記プリアンプに出力する請求項１に記載のアコースティック／エレクトリックギターの自動演奏装置。
【請求項４】
ギター演奏音を所定レベルに増幅し、使用者の要求に応じて該ギター演奏音の音色を調節した後、ギター専用アンプに出力するプリアンプと、
前記プリアンプから出力される前記ギター演奏音をメモリに録音し、使用者の要求に応じて該当曲を再生して出力する録音装置と、
を含むことを特徴とするアコースティック／エレクトリックギターの録音装置。
【請求項５】
前記プリアンプは、前記録音装置から提供される演奏音を受信して前記ギター専用アンプに出力する請求項４に記載のアコースティック／エレクトリックギターの録音装置。
【請求項６】
ギター演奏音を所定レベルに増幅し、使用者の要求に応じて該ギター演奏音の音色を調節した後、ギター専用アンプに出力するプリアンプと、
内部メモリを利用して外部音楽ファイルを保存するか、外部音楽信号を音楽ファイルに変換して前記変換された音楽ファイルを前記プリアンプに出力する自動演奏装置と、
前記プリアンプの出力を前記内部メモリに保存する録音装置と、
を含むことを特徴とするアコースティック／エレクトリックギターの自動演奏及び録音装置。
【請求項７】
前記自動演奏装置は、多様な楽器で演奏した複数の演奏曲をメモリに保存し、前記使用者が選択した演奏曲を再生／処理して前記プリアンプに出力し、前記録音装置は、前記プリアンプから出力されるギター演奏音、又は、多様な楽器との合奏音信号をメモリに保存し、使用者の要求に応じて該当演奏音を再生する請求項６に記載のアコースティック／エレクトリックギターの自動演奏及び録音装置。
【請求項８】
前記プリアンプは、前記ギター演奏音と前記自動演奏装置から提供される多様な楽器の演奏音とを混合して合奏音形態に出力し、前記録音装置から提供される演奏音を受信して前記ギター専用アンプに出力する請求項６に記載のアコースティック／エレクトリックギターの自動演奏及び録音装置。
【請求項９】
前記プリアンプは、前記録音装置から演奏音（録音出力信号）が提供されると、前記自動演奏装置の動作を停止する請求項８に記載のアコースティック／エレクトリックギターの自動演奏及び録音装置。
【請求項１０】
前記プリアンプは、ギターの弦の振動をピックアップして該振動を電気信号として出力するピックアップ入力部と、
前記ピックアップ入力部の出力信号を所定レベルに増幅するヘッドアンプと、
前記ヘッドアンプから出力されるギター演奏音を高音、中音、低音にそれぞれ強調し、該当音色でギター演奏音を前記出力するイコライザと、
前記イコライザから出力されるギター演奏音と前記自動演奏装置から提供される多様な楽器の演奏音をミキシングするオーディオミキサーと、
前記オーディオミキサーからミキシングされた出力信号及び前記録音装置から提供される演奏音を調節した演奏音の信号を前記ギター専用アンプに出力するプリアンプ出力部と、
を含む請求項６に記載のアコースティック／エレクトリックギターの自動演奏及び録音装置。
【請求項１１】
前記プリアンプ出力部は、前記オーディオミキサー又は前記録音装置から提供される信号を調節するための可変抵抗を含む請求項１０に記載のアコースティック／エレクトリックギターの自動演奏及び録音装置。
【請求項１２】
前記プリアンプから出力される信号は、前記使用者自身のギター演奏音、使用者自身のギター演奏音と前記自動演奏装置から再生される演奏音との合奏音、使用者自身のギター演奏音と前記外部補助入力部から入力される演奏音との合奏音、又は、使用者自身のギター演奏音と前記自動演奏装置から再生／出力される演奏音と、前記外部補助入力部から入力される演奏音との合奏音である請求項１０に記載のアコースティック／エレクトリックギターの自動演奏及び録音装置。
【請求項１３】
前記自動演奏装置は、複数の演奏曲をメモリに保存し、使用者が選択した演奏曲を再生して出力するための各種制御機能を実行する自動演奏用ＣＰＵと、
前記複数の演奏曲のファイルを保存するＮＡＮＤフラッシュメモリと、
前記演奏曲を再生するためのプログラムを実行するＮＯＲフラッシュメモリと、
を含んで構成される請求項６に記載のアコースティック／エレクトリックギターの自動演奏及び録音装置。
【請求項１４】
前記自動演奏装置は、
自動演奏及び録音のための使用者の制御命令を入力するキーパッドと、
システムの動作状況または使用者情報を表示するＬＣＤモジュールと、
外部機器からオーディオ信号を受信するための補助入力部と、
前記システムの各部に電源を供給するパワー回路部とをさらに含む請求項１３に記載のアコースティック／エレクトリックギターの自動演奏及び録音装置。
【請求項１５】
前記自動演奏用ＣＰＵは、
音楽ファイルを伝送したり、ソフトウェアのアップグレードを行うためのＵＳＢと、
前記音楽ファイルを前記プリアンプに出力するか、または前記外部オーディオ信号を受信して音楽ファイルに変換するコーデックと、
前記自動演奏装置と前記録音装置のＣＰＵ間のデータ通信を行うデータリンク部と、
を含む請求項１３に記載のアコースティック／エレクトリックギターの自動演奏及び録音装置。
【請求項１６】
前記データリンク部は、前記録音装置に保存された音楽情報、前記キーパッドの制御情報、前記ＬＣＤモジュールを介したＬＣＤ制御部の制御情報、及びボリューム制御に関するデータを前記録音装置と交換する請求項１５に記載のアコースティック／エレクトリックギターの自動演奏及び録音装置。
【請求項１７】
前記録音装置は、
前記プリアンプから出力されるギター演奏音及び各種合奏音をメモリに保存し、使用者の要求に応じて該当演奏音を再生するための各種制御機能を実行する録音用ＣＰＵと、
前記ギター演奏音及び各種合奏音のファイルを保存するＮＡＮＤフラッシュメモリと、
前記演奏音を録音及び再生するためのプログラムを実行するＮＯＲフラッシュメモリとから構成される請求項６に記載のアコースティック／エレクトリックギターの自動演奏及び録音装置。
【請求項１８】
前記録音用ＣＰＵは、
音楽ファイルを伝送したり、ソフトウェアのアップグレードを行うためのＵＳＢと、
前記自動演奏装置および前記録音装置のＣＰＵ間にデータ通信を行うデータリンク部と、
前記プリアンプから入力され／前記プリアンプに出力される信号をデジタル信号又はアナログ信号に変換するためのコーデックと、
を含む請求項１７に記載のアコースティック／エレクトリックギターの自動演奏及び録音装置。
【請求項１９】
前記コーデックは、外部ヘッドフォンに出力される信号又は前記プリアンプから入力され／前記プリアンプに出力される信号を変換する請求項１８に記載のアコースティック／エレクトリックギターの自動演奏及び録音装置。
【請求項２０】
前記自動演奏装置又は前記録音装置のアップグレードのためのプログラム又はコンピュータから音楽ファイルを受信するためのポート制御部をさらに含む請求項６に記載のアコースティック／エレクトリックギターの自動演奏及び録音装置。
【発明の詳細な説明】
【技術分野】
【０００１】
本発明は、ギターなどの弦楽器から演奏音を出力する技術に関し、特に、自動演奏装置により使用者自身のギター演奏を再生したり、他の演奏音との合奏ができ、また、録音装置により使用者自身の演奏音又は合奏音を録音できるアコースティック／エレクトリックギターの自動演奏及び録音装置に関する。
【背景技術】
【０００２】
一般的に、アコースティック／エレクトリックギターの内部にはプリアンプが内蔵され、該プリアンプは、ギター演奏音の音色を適切に調節し、演奏音のレベルを適当な水準に増幅し、外部のパワーアンプに前記増幅されたギター演奏音を伝達する機能を果たす。
【発明の概要】
【発明が解決しようとする課題】
【０００３】
しかしながら、従来のアコースティック／エレクトリックギターは、単に固有のプリアンプ機能のみを行い、使用者に多様な演奏環境を提供できないという欠陥があった。すなわち、従来のアコースティック／エレクトリックギターにおいて、演奏環境は、他の楽器演奏者がいないと他の楽器の演奏音を提供できないので、他の楽器との公演環境を提供できないという欠陥があった。また、演奏音の保存機能が備えられていないため、使用者がギター演奏後に使用者自身の演奏音を鑑賞できず、演奏教育に役立たないという欠陥があった。
【０００４】
従って、本発明は、このような問題を解決するために提案されたものであり、本発明の目的は、アコースティック／エレクトリックギターに自動演奏装置を加えることにより、使用者がその自動演奏装置により出力される他の楽器の演奏音に合わせて合奏できるようにすることにある。
【０００５】
本発明の他の目的は、アコースティック／エレクトリックギターに録音装置を加えることにより、使用者のギター演奏音や合奏音を録音した後、必要な時点で、前記ギター演奏音や合奏音を再生／出力することにある。
【課題を解決するための手段】
【０００６】
このような目的を達成するために、本発明によるアコースティック／エレクトリックギターの自動演奏装置は、ギター演奏音を所定レベルに増幅し、使用者の要求に応じてそのギター演奏音の音色を調節した後、ギター専用アンプに出力するプリアンプと、複数の演奏曲をメモリに保存し、前記使用者が選択した演奏曲を再生して前記プリアンプに出力する自動演奏装置とから構成される。
【０００７】
また、このような目的を達成するために、本発明によるアコースティック／エレクトリックギターの自動演奏装置は、ギター演奏音を所定レベルに増幅し、使用者の要求に応じてそのギター演奏音の音色を調節した後、ギター専用アンプに出力するプリアンプと、前記プリアンプから出力されるギター演奏音をメモリに録音し、使用者の要求に応じて、該当曲を再生して出力する録音装置とを含むアコースティック／エレクトリックギターの録音装置を備えて構成される。
【０００８】
また、このような目的を達成するために、本発明によるアコースティック／エレクトリックギターの自動演奏及び録音装置は、ギター演奏音を所定レベルに増幅し、使用者の要求に応じてそのギター演奏音の音色を調節した後、ギター専用アンプに出力するプリアンプと、内部メモリを利用して外部音楽ファイルを保存するか、外部音楽信号を音楽ファイルに変換して前記変換された音楽ファイルを前記プリアンプに出力する自動演奏装置と、前記プリアンプの出力を内部メモリに保存する録音装置とから構成される。
【発明の効果】
【０００９】
本発明によると、アコースティック／エレクトリックギターに自動演奏装置を加えることにより、前記自動演奏装置から出力される他の楽器の演奏音に合わせて合奏できる。従って、使用者の立場から、時間と場所にかかわらず多様な楽器と合奏できるという効果がある。
【００１０】
また、アコースティック／エレクトリックギターに録音装置を加えることにより、使用者の演奏音や合奏音を録音／処理した後、必要な時点で再生／出力できる。従って、使用者の立場から、使用者自身のギター演奏又は各種楽器との合奏を自ら評価又は鑑賞できるという効果がある。
【００１１】
本発明の上記および他の目的、特徴、形態及び利点については、添付図面を参照して以下に記す発明の詳細な説明から明らかとなるであろう。
【００１２】
添付図面は、発明の理解を容易にするためのものであり、明細書と一体となって明細書の一部を構成し、発明の実施例を示し、明細書と共に発明の原理を説明するためのものである。
【図面の簡単な説明】
【００１３】
【図１】本発明によるアコースティック／エレクトリックギターの自動演奏及び録音装置のブロック図である。
【発明を実施するための形態】
【００１４】
以下、使用者自身が演奏した演奏音を録音又は再生したり、他の演奏者の演奏音を録音したり、ＰＣ又はオーディオ機器からダウンロードした音楽を利用して使用者一人で合奏ができるようにしたアコースティック／エレクトリックギターの自動演奏及び録音装置に関する好ましい実施形態を図面を参照して詳細に説明する。
【００１５】
図１は、本発明によるアコースティック／エレクトリックギターの自動演奏及び録音装置を示すブロック図である。
図１に示すように、本発明によるギターの自動演奏及び録音装置は、使用者のギター演奏音を所定レベルに増幅し、使用者の要求に応じてその音色を適切に調節した後、前記使用者のギター演奏音を後述する自動演奏装置２００から入力される他の楽器の演奏音と混合してギター専用アンプ（例えば、パワーアンプ）に出力し、後述する録音装置３００から再生／出力される演奏音を受信して前記ギター専用アンプに出力するプリアンプ１００と、多様な楽器で演奏した複数の演奏曲をメモリに保存し、そのうち使用者が選択した演奏曲を再生してプリアンプ１００に出力する自動演奏装置２００と、プリアンプ１００から出力されるギター演奏音と自動演奏装置２００から出力される演奏音との合奏音をメモリに保存し、使用者の要求に応じて該当演奏音を再生する録音装置３００と、前記自動演奏装置もしくは前記録音装置のアップグレードのためのプログラム又はコンピュータからの音楽ファイルを受信するためのポート制御部４００とから構成される。
【００１６】
以下、本発明による構成について詳細に説明する。
【００１７】
プリアンプ１００は、使用者のギター演奏によるギターの弦の振動をピックアップして電気信号として出力するピックアップ入力部１０１と、ピックアップ入力部１０１の出力信号を所定レベルに増幅するヘッドアンプ１１０と、ヘッドアンプ１１０から出力されるギター演奏音に対する高音、中音、低音の帯域を使用者の要求によって適切に強調して該当音色として出力するイコライザ１２０と、イコライザ１２０から出力されるギター演奏音と自動演奏装置２００から提供される多様な楽器の演奏音を混合してオーディオ信号を出力するオーディオミキサー１３０と、オーディオミキサー１３０からミキシングされた出力信号及び録音装置３００から入力される演奏音を可変抵抗ＶＲ４により調節してギター専用アンプに出力するプリアンプ出力部１４０とから構成される。
【００１８】
従って、プリアンプ１００は、前記ギター演奏音を自動演奏装置２００から提供される多様な楽器の演奏音と混合して合奏音形態で出力したり、録音装置３００から提供される演奏音を受信してギター専用アンプに出力できる。ここで、録音装置３００から演奏音（録音出力信号）が提供されると、自動演奏装置２００の動作は停止する。
【００１９】
一方、自動演奏装置２００は、多様な楽器で演奏した複数の演奏曲をメモリに保存し、使用者が選択した演奏曲を再生して出力するための各種制御機能を実行する自動演奏用ＣＰＵ２１０と、自動演奏及び録音のための使用者の制御命令を入力するキーパッド２２０と、システムの動作状況や使用者のための情報を表示するＬＣＤモジュール２３０と、システム各部に電源を供給するパワー回路部２４０と、前記複数の演奏曲のファイルを保存するＮＡＮＤフラッシュメモリ２５０と、前記演奏曲を再生するためのプログラムを実行するＮＯＲフラッシュメモリ２６０と、外部機器からオーディオ信号を受信するためにライン入力端子（LINE IN）２８１及び補助入力端子（AUX IN）２８２を含む外部補助入力部２８０とから構成される。
【００２０】
ここで、自動演奏用ＣＰＵ２１０は、音楽ファイルを伝送したり、ソフトウェアのアップグレードを行うためのＵＳＢ（Universal Serial Bus）と、自動演奏装置２００の自動演奏用ＣＰＵ２１０と録音装置３００の録音用ＣＰＵ３１０間のデータ通信を行い、録音装置３００に保存された音楽情報、キーパッド２２０の制御情報、ＬＣＤモジュール２３０を介したＬＣＤ制御部２１５の制御情報、及びボリューム制御に関するデータを交換するデータリンク部２１２と、ＮＡＮＤフラッシュメモリ２５０に保存されている該当音楽ファイルのデジタルビットストリームをアナログ信号に変換して出力するか、音楽ファイルをプリアンプ１００に出力するか、又は、外部オーディオ信号を受信してその外部オーディオ信号を音楽ファイルに変換するコーデック２１７と、自動演奏装置２００内の各種メモリとの接続のための各種インタフェース２１４、２１６と、プレイロジック部２１１とから構成される。
【００２１】
従って、自動演奏装置２００は、内部メモリを利用して外部音楽ファイルを保存したり、外部音楽信号を音楽ファイルに変換して前記プリアンプに出力できる。
【００２２】
一方、録音装置３００は、プリアンプ１００から出力されるギター演奏音及び各種合奏音をメモリに保存し、使用者が要求するときに該当演奏音を再生するための各種制御機能を実行する録音用ＣＰＵ３１０と、前記ギター演奏音及び各種合奏音のファイルを保存するＮＡＮＤフラッシュメモリ３２０と、プリアンプ１００から出力されるギター演奏音及び各種合奏音のファイルを録音及び再生するためのプログラムが保存されるＮＯＲフラッシュメモリ３３０とから構成される。
ここで、前記録音用ＣＰＵ３１０は、音楽ファイルを伝送したり、ソフトウェアのアップグレードを行うためのＵＳＢ３１２と、前記自動演奏装置と前記録音装置のＣＰＵ間にデータ通信を行うデータリンク部３１４と、プリアンプ１００から入力され／プリアンプ１００に出力される信号をデジタル信号又はアナログ信号に変換したり、外部ヘッドフォンに出力される信号を変換したり、またはプリアンプ１００から入力され／プリアンプ１００に出力される信号を変換するコーデック３１６と、録音装置３００内の各種メモリとの接続のための各種インタフェース３１３、３１５と、録音ロジック部３１１とから構成される。
【００２３】
最後に、ポート制御部４００は、音楽ファイルの受信又はプログラムのアップグレードのためのバス（ＢＵＳ）パスであり、ＵＳＢポート制御部４２０及びＵＳＢジャック４１０から構成される。
【００２４】
以下、このように構成された本発明の作用を詳細に説明する。
【００２５】
まず、アコースティック／エレクトリックギターの演奏音がプリアンプ１００を介して出力される過程を説明する。
【００２６】
使用者がギターを演奏すると、入力部１０１は、その演奏音に対するギターの弦の振動をピックアップして電気的信号に変換する。その後、前記入力されたギター演奏音は、ヘッドアンプ１１０により所定のレベルに増幅された後、使用者の可変抵抗ＶＲ１、ＶＲ２、ＶＲ３の調整により高音（TREBLE：10KHz）、中音（MIDDLE：1KHz）、低音（BASS：100Hz）が適切に強調されて該当音色に変換される。また、前述したように処理されたギター演奏音は、オーディオミキサー１３０を通過した後、可変抵抗ＶＲ４により所定レベルに調整された後、プリアンプ出力端子（MUSIC PRE-AMP OUT）を介してギター専用アンプに出力される。
【００２７】
一方、使用者は、ギター演奏するとき、自動演奏装置２００から他の楽器の演奏音を出力することにより合奏できるが、以下、この合奏音の出力過程を説明する。
【００２８】
使用者が自動演奏装置２００のキーパッド２２０のプレイキーを押すと、自動演奏用ＣＰＵ２１０がこれを認識する。その後、ＬＣＤモジュール２３０に「ＰＬＡＹ ＭＯＤＥ」という文字メッセージをしばらく表示した後、ＮＡＮＤフラッシュメモリ２５０に保存されている演奏曲のタイトルを読み込んでＬＣＤモジュール２３０に表示する。ここで、ＮＯＲフラッシュメモリ２６０に保存されている自動演奏用プログラムが待機状態となる。このような状態で、使用者がレバースイッチ（図示せず）を利用して演奏する音楽のタイトルを選択した後、プレイキーを押すと、自動演奏用ＣＰＵ２１０の呼び出しによってＮＡＮＤフラッシュメモリ２５０に保存されている該当音楽ファイルのデジタルビットストリームがコーデック２１７により元のアナログ信号に変換される。また、前記変換されたアナログ信号は、プレイロジック部２１１によりエフェクト、イコライザ、及びボリュームなどが適切に調整された後、プリアンプ１００に出力される。自動演奏装置２００から出力される自動演奏音信号は、プリアンプ１００のオーディオミキサー１３０において前記ギター演奏音信号と混合されるが、このとき、イコライザ１２０から出力されるギター演奏音の利得は、抵抗Ｒ１、Ｒ２の値により決定され、自動演奏装置２００から出力される自動演奏音の利得は、抵抗Ｒ２、Ｒ３の値により決定される。
【００２９】
一方、外部補助入力部２８０を介して外部機器から入力されるオーディオ信号は、オーディオミキサー１３０において前記演奏音信号と混合されるが、この外部機器から入力されるオーディオ信号の利得は、抵抗Ｒ４、Ｒ２の値により決定される。
【００３０】
前述したように混合された合奏音の信号は、可変抵抗ＶＲ４により所定レベルに調整された後、プリアンプ出力端子を介して外部のギター専用アンプに出力される。従って、使用者は、ギターを演奏するとき、ＮＡＮＤフラッシュメモリ２５０から再生／出力される他の楽器の演奏音、又はＣＤプレーヤもしくはＭＰ３プレーヤなどの外部機器で再生された後に外部補助入力部２８０から入力される演奏音と合奏できる。
【００３１】
一方、以上のような過程により出力されるギター演奏音や合奏音を録音装置３００に保存し、使用者の必要な時点で再生して鑑賞できるが、以下、この処理過程を説明する。
【００３２】
使用者がプレイキーを押すと、自動演奏用ＣＰＵ２１０は、これを認識してデータリンク部２１２、３１２を介して録音用ＣＰＵ３１０に通知すると共に、ＬＣＤモジュール２３０に「ＲＥＣ ＭＯＤＥ」という文字メッセージをしばらく表示する。これにより、録音用ＣＰＵ３１０は、ＮＡＮＤフラッシュメモリ３２０に保存されている演奏曲のリストを読み込んでデータリンク部２１２および３１２を介して自動演奏用ＣＰＵ２１０に伝送する。従って、自動演奏用ＣＰＵ２１０により前記リストがＬＣＤモジュール２３０に表示される。ここで、ＮＯＲフラッシュメモリ３３０に保存されている録音用プログラムが待機状態となる。
【００３３】
このような状態で、使用者がもう一度前記プレイキーを押すと、前記のような経路を経てＬＣＤモジュール２３０に「ＲＥＣＯＲＤＩＮＧ」という文字メッセージが表示され、システムが録音モードに切り替えられる。
【００３４】
これにより、プリアンプ１００のオーディオミキサー１３０を介して出力される使用者自身のギター演奏音、使用者自身のギター演奏音と自動演奏装置２００から再生される演奏音との合奏音、使用者自身のギター演奏音と前記外部入力端子（AUX IN）を介して入力される演奏音との合奏音、使用者自身のギター演奏音と、自動演奏装置２００から再生出力される演奏音と、外部入力端子（AUX IN）を介して入力される演奏音との合奏音の信号が録音用ＣＰＵ３１０のコーデック３１６によりデジタル信号に変換された後、ＮＡＮＤフラッシュメモリ３２０に保存される。
【００３５】
自動演奏用ＣＰＵ２１０は、データリンク部２１２、３１２を介して録音用ＣＰＵ３１０からＮＡＮＤフラッシュメモリ３２０に録音されている音楽情報、ディスプレイ、ボリューム制御、キーコントロールなどの情報を受信して処理する。使用者が前記キーパッド２３０上のストップキーを押すと、録音された音楽ファイルが生成されてリストアップされる。また、使用者がレバースイッチを使用して今まで録音された演奏ファイルのうち任意の演奏ファイルを選択した後、プレイキーを押すと、ＮＡＮＤフラッシュメモリ３２０に保存されている該当音楽ファイルのデジタルビットストリームがコーデック３１６により元のアナログ信号に変換される。また、前記変換されたアナログ信号が録音ロジック部３１１によりエフェクト、イコライザ、及びボリュームなどが適切に調整された後、一方では、ヘッドフォン出力端子（HEADPHONE OUT）に出力され、他方では、可変抵抗ＶＲ４により所定レベルに調整された後、プリアンプ出力端子１４０に出力される。従って、使用者は、多様な演奏音と合奏した演奏音を前記過程により録音した後、所望の演奏部分を選択して再び鑑賞できる。ギター専用アンプが備えられていない場合は、ヘッドフォン出力端子（HEADPHONE OUT）にヘッドフォンを連結して所望の演奏音を鑑賞できる。
【００３６】
一方、ポート制御部は、自動演奏用ＣＰＵ２１０及び録音用ＣＰＵ３１０のソフトウェアをアップグレードしたり、コンピュータから音楽ファイルを受信するために設置されたものである。従って、使用者は、メニュー上で２つのＣＰＵ２１０、３１０からアップグレードされるＣＰＵを選択した後、アップグレードプログラムを実行して所望のＣＰＵをアップグレードできる。
【００３７】
図１において、プリアンプ１００、自動演奏装置２００、及び録音装置３００が全て結合されたものを例に挙げて説明したが、プリアンプ１００と自動演奏装置２００を結合した形態、又はプリアンプ１００と録音装置３００を結合した形態で実現する場合も、同一の原理でそれぞれの該当機能を達成する。
【００３８】
本発明はその精神または本質的特徴から逸脱することなく他の実施形態が可能なように、上述した実施形態は特定されなければ上述の記述に限定されることなく、添付の請求項に規定した発明の精神および範囲内に広く解釈されるべきものである。それゆえ、請求項に記載の範囲内での種々の変更および修正、または均等な請求項は添付請求項に包含されるものと理解すべきであろう。
【図１】
2011100156.tif 000003
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
ギターの音信号をあらかじめ保存された音信号と一緒に処理するアコースティック／エレクトリックギターであって、
外部機器から受信した音信号を第１音楽ファイルに変換し、前記第１音楽ファイルを第１内部メモリ内に保存し、前記第１音楽ファイルを再生して第１電気信号を生成し且つ前記第１電気信号を出力する自動演奏部と、
ギターの弦の振動により生成されたギターの音信号から生成されたギターの電気信号を所定レベルに増幅し、前記ギターの電気信号の音色を電気的に調節し、前記ギターの電気信号を前記自動演奏部からの前記第１音楽ファイルの前記第１電気信号と混合して混合信号を生成し、前記混合信号を出力するプリアンプと、
前記混合信号を第２音楽ファイルに変換し、前記第２音楽ファイルを第２内部メモリ内に保存し、前記第２音楽ファイルを再生して第２電気信号を生成し且つ前記第２電気信号を前記プリアンプに出力する録音部と、
を備え、
前記プリアンプは、前記第２音楽ファイルの前記第２電気信号を外部アンプ又はスピーカに接続する出力ポートに出力するアコースティック／エレクトリックギター。
【請求項２】
前記第１内部メモリは、
前記第１音楽ファイルを保存する第１ＮＡＮＤフラッシュメモリと、
前記第１音楽ファイルを前記第１ＮＡＮＤフラッシュメモリ内に保存し且つ前記第１音楽ファイルを再生するプログラムを保存する第１ＮＯＲフラッシュメモリと、
を有する請求項１に記載のアコースティック／エレクトリックギター。
【請求項３】
前記自動演奏部は、
前記第１音楽ファイルを再生する使用者の制御命令を入力するキーパッドと、
前記第１音楽ファイルの情報を表示するＬＣＤモジュールと、
を有する請求項１に記載のアコースティック／エレクトリックギター。
【請求項４】
前記自動演奏部は、
前記外部機器から前記音信号を受信する補助入力部を有する請求項１に記載のアコースティック／エレクトリックギター。
【請求項５】
前記プリアンプは、
前記弦の振動をピックアップして前記振動を前記ギターの電気信号として出力するピックアップ入力部と、
前記ピックアップ入力部からの前記ギターの電気信号を所定レベルに増幅するヘッドアンプと、
前記ヘッドアンプから出力される前記ギターの電気信号を高音、中音、低音にそれぞれ強調し、該当音色で前記ギターの電気信号を出力するイコライザと、
前記イコライザから出力される前記ギターの電気信号と前記自動演奏部から提供される前記第１電気信号とを混合して前記混合信号を生成するオーディオミキサーと、
前記オーディオミキサーからの前記混合信号を、前記出力ポートに出力するプリアンプ出力部と、
を有する請求項１に記載のアコースティック／エレクトリックギター。
【請求項６】
前記第２内部メモリは、
前記第２音楽ファイルを保存する第２ＮＡＮＤフラッシュメモリと、
前記第２音楽ファイルを前記第２ＮＡＮＤフラッシュメモリ内に保存し且つ前記第２音楽ファイルを再生するプログラムを保存する第２ＮＯＲフラッシュメモリと、
を有する請求項１に記載のアコースティック／エレクトリックギター。
【請求項７】
前記自動演奏部は、前記録音部から前記第２音楽ファイルの情報を受信する第１データリンク部を有し、
前記録音部は、前記第２音楽ファイルの情報を前記自動演奏部に送信する第２データリンク部を有する請求項１に記載のアコースティック／エレクトリックギター。
【請求項８】
前記プリアンプは、前記ギターの電気信号を前記第１電気信号と合奏音の形態で混合する請求項１に記載のアコースティック／エレクトリックギター。
【請求項９】
前記自動演奏部は、前記第２音楽ファイルの前記第２電気信号が前記プリアンプに出力されると、前記第１音楽ファイルの再生を停止する請求項１に記載のアコースティック／エレクトリックギター。
【請求項１０】
前記第１音楽ファイルは、前記ギターの電気信号以外の複数の楽器の音楽ファイルから使用者によって選択される請求項１に記載のアコースティック／エレクトリックギター。
【請求項１１】
前記第２音楽ファイルは、前記ギターの電気信号を含む複数の楽器の音楽ファイルから使用者によって選択される請求項１に記載のアコースティック／エレクトリックギター。
【請求項１２】
前記プリアンプは、前記ギターの電気信号を、前記自動演奏部からの前記第１音楽ファイルの前記第１電気信号及び前記外部機器から入力された前記音信号と混合する請求項１に記載のアコースティック／エレクトリックギター。